(57)【要約】【課題】継手部分の変形などによっても防水シートが破断することがなく、可撓止水部材の内側に回り込む浸水などの止水性を向上することができる可撓止水継手およびその施工方法を提供すること。【解決手段】可撓止水部材２０の先行および後行打設固定部２１，２２それぞれと防水シート１４，１４を接着することで、可撓止水部材２０の内側への水の侵入を防止することができ、防水シート１４に、可撓止水部材２０の内側への水の浸入に関与しない部分に破断防止部１４ａを設けることで、変形時の防水シート１４、１４の破断を防止する。これにより、継手部１３の変形などによっても防水シート１４，１４が破断することがなく、可撓止水部材２０の内側に回り込む水などの止水性を向上する。【選択図】図２
2008038426.tif 000002
【特許請求の範囲】
【請求項１】
先行および後行のコンクリートを打ち継いで構築されるコンクリート構造体の継手部に内外の止水および当該継手部の相対変位を可能とする可撓止水部材を設けるとともに、この可撓止水部材および隣接する先行・後行コンクリートの継手部の外周を防水シートで覆う可撓止水継手であって、
前記可撓止水部材は、前記先行および後行のコンクリート構造体に打設により埋設固定される先行打設固定部および後行打設固定部と、
これら先行打設固定部および後行打設固定部の間に設けられ止水および相対変位を可能とする伸縮部と、を備えており、
前記防水シートは、前記継手部に対応して変形時の破断防止部が設けられており、
前記可撓止水継部材の前記先行打設固定部および後行打設固定部と前記防水シートとを接着固定してなることを特徴とする可撓止水継手。
【請求項２】
前記先行および後行打設固定部に、前記防水シートと接着する接着部を突き出して形成してなることを特徴とする請求項１記載の可撓止水継手。
【請求項３】
前記先行および後行打設固定部の接着部を、先端部が前記防水シートと平行となるとともに、基端部が直角となるように形成してなることを特徴とする請求項２記載の可撓止水継手。
【請求項４】
前記接着部および前記防水シートの内側に補助防水シートを配置し、前記接着部および前記防水シートとの接着および／または接着に替え、前記補助防水シートを接着してなることを特徴とする請求項２または３記載の可撓止水継手。
【請求項５】
前記可撓止水部材の外側と前記防水シートとの間に、前記可撓止水部材の形状を保持する形状保持部材を設けてなることを特徴とする請求項１〜４のいずれかに記載の可撓止水継手。
【請求項６】
前記可撓止水部材の内側に目地材を配置し、この目地材に打設されるコンクリートの流出を防止するシール用シート部材を設けたことを特徴とする請求項１〜５のいずれかに記載の可撓止水継手。
【請求項７】
先行および後行のコンクリートを打ち継いで構築されるコンクリート構造体の継手部に内外の止水および当該継手部の相対変位を可能とする可撓止水部材を設けるとともに、継手部の外側を防水シートで覆う可撓止水継手を施工するに際し、
前記継手部を挟むコンクリート構造体の打設用の型枠の内側に前記継手部に対応して変形時の破断防止部が設けられた防水シートを取り付け、仮設用治具で形状が保持された前記可撓止水部材の先行打設固定部および後行打設固定部と前記防水シートとを接着固定した後、先行のコンクリートを打設して前記先行打設固定部を埋設固定し、次いで、前記仮設用治具を取り除いて後行のコンクリートを打設して後行打設固定部を埋設固定するようにしたことを特徴とする可撓止水継手の施工方法。
【請求項８】
前記先行のコンクリートの打設前に、先行のコンクリート側の前記防水シートと前記先行打設固定部とを接着固定した後、先行のコンクリートを打設するようにし、前記後行のコンクリートの打設前に、後行のコンクリート側の前記防水シートを取り付けるとともに、前記後行打設固定部と接着固定するようにしたことを特徴とする請求項７記載の可撓止水継手の施工方法。
【請求項９】
前記可撓止水部材に前記防水シートへの接着部を形成しておき、当該可撓止水部材および接着部を支持金具で押えて孔加工を必要とせずに前記防水シートと接着するようにしたことを特徴とする請求項７または８記載の可撓止水継手の施工方法。
【請求項１０】
前記可撓止水部材を、前記可撓止水部材の外側と前記防水シートとの間に設けた形状保持部材で形状を保持するようにしたことを特徴とする請求項７〜９のいずれかに記載の可撓止水継手の施工方法。
【請求項１１】
前記可撓止水部材の内側に目地材を配置し、この目地材に打設されるコンクリートの流出を防止するシール用シート部材を設けた後、コンクリートを打設するようにしたことを特徴とする請求項７〜１０のいずれかに記載の可撓止水継手の施工方法。
【発明の詳細な説明】
【技術分野】
【０００１】
この発明は、可撓止水継手およびその施工方法に関し、コンクリートを打ち継いで構築される、水路、水処理施設、トンネル、共同溝などのコンクリート構造体の継手部の止水および相対変位を可能とする可撓止水継手における止水性の向上を図るようにしたものである。
【背景技術】
【０００２】
コンクリートを打ち継いで構築されるコンクリート構造体である水路や水槽あるいは共同溝等の地中に構築される暗渠などの壁部分の継手部には、内外を止水するとともにその両側のコンクリート構造体の地震時変位並びに温度変化等に起因する壁部分の伸縮等を許容する必要があり、ゴムや合成樹脂の止水板など可撓止水部材を供えた可撓止水継手が介設されている。
【０００３】
このようなコンクリート構造体である共同溝などのコンクリート構造体用の可撓止水継手では、可撓止水部材として、例えば特許文献１に開示された可撓ゴム継手１が用いられており、図９に示すように、略楕円形状の中空部２と、この中空部２を挟んで断面略Ｖ字状に固定される一対のフランジ部３、３と、これらフランジ部３、３の外側に突き出して形成された複数条の突条４を備えて構成され、コンクリート構造体５，５間に中空部２を挟むように位置させ、フランジ部３，３および複数の突条４を打設するコンクリート内に埋設して固定するようにしている。そして、コンクリート構造体５，５の中空部２の内側の目地部分には、目地材６が設けてある。
【特許文献１】特開２００２−１６７７８９号公報
【発明の開示】
【発明が解決しようとする課題】
【０００４】
このような可撓ゴム継手１を用いた可撓止水継手では、止水性を向上するため、図１０に示すように、コンクリート構造体５，５の継手部分を跨ぐように外周部に防水シート７を巻き付けるようにすることが行われていた。
【０００５】
ところが、この防水シート７をコンクリート構造体５，５に接着剤などで取り付けると、コンクリート構造体５，５の地震などの変位によって防水シート７が破断してしまい十分な止水性を得ることができず、一方、接着せずに巻き付けるだけでは、隙間からの浸水が起こり、十分な止水性を得ることができないという問題がある。
【０００６】
また、可撓ゴム継手１を用い、図示省略したが、フランジ部３，３の外側にコンクリートを打設せず、アンカーボルトなどを介してコンクリート構造体に取り付け、フランジ部の外側に発泡材を接着して変形できる空間を確保し、発泡材の外側に防水シートを接着することも行われていたが、この場合にも、すでに説明した可撓止水継手と同様に、地震などの変位による防水シートの破断やフランジ部の内側に入り込む浸水に対する十分な止水性を得ることができないという問題がある。
【０００７】
この発明は、かかる従来技術の問題に鑑みてなされたものであって、継手部分の変形などによっても防水シートが破断することがなく、可撓止水部材の内側に回り込む浸水などの止水性を向上することができる可撓止水継手およびその施工方法を提供しようとするものである。
【課題を解決するための手段】
【０００８】
上記課題を解決するためこの発明の請求項１記載の可撓止水継手は、先行および後行のコンクリートを打ち継いで構築されるコンクリート構造体の継手部に内外の止水および当該継手部の相対変位を可能とする可撓止水部材を設けるとともに、この可撓止水部材および隣接する先行・後行コンクリートの継手部の外周を防水シートで覆う可撓止水継手であって、前記可撓止水部材は、前記先行および後行のコンクリート構造体に打設により埋設固定される先行打設固定部および後行打設固定部と、これら先行打設固定部および後行打設固定部の間に設けられ止水および相対変位を可能とする伸縮部と、を備えており、
前記防水シートは、前記継手部に対応して変形時の破断防止部が設けられており、前記可撓止水継部材の前記先行打設固定部および後行打設固定部と前記防水シートとを接着固定してなることを特徴とするものである。
【０００９】
この可撓止水継手によれば、可撓止水部材の先行および後行打設固定部それぞれと防水シートを接着することで、可撓止水部材の内側への水の浸入を防止し、防水シートに、可撓止水部材の内側への水の浸入に関与しない部分に破断防止部として、例えば空間や突合せ部、あるいは切れ易くした切り欠き形状などを設けることで、変形時の防水シートの破断を防止できるようにしている。
【００１０】
また、この発明の請求項２記載の可撓止水継手は、請求項１記載の構成に加え、前記先行および後行打設固定部に、前記防水シートと接着する接着部を突き出して形成してなることを特徴とするものである。
【００１１】
この可撓止水継手によれば、前記先行および後行打設固定部に、前記防水シートと接着する接着部を突き出して形成するようにしており、防水シートの接着部で簡単に接着できるようになるとともに、接着部の剛性を弱くしておくことで、不陸や防水シートの貼り合せ部に段差などがあってもそれに追従して接着できるようになる。
【００１２】
さらに、この発明の請求項３記載の可撓止水継手は、請求項２記載の構成に加え、前記先行および後行打設固定部の接着部を、先端部が前記防水シートと平行となるとともに、基端部が直角となるように形成してなることを特徴とするものである。
【００１３】
この可撓止水継手によれば、前記先行および後行打設固定部の接着部を、先端部が前記防水シートと平行となるとともに、基端部が直角となるように形成してあり、防水シートの接着部の基端部と先端部の直角部分にアングル材などの簡単な支持金具を当てて押えることができ、可撓止水部材の形状保持や接着を容易にできるようになる。
【００１４】
また、この発明の請求項４記載の可撓止水継手は、請求項２または３記載の構成に加え、前記接着部および前記防水シートの内側に補助防水シートを配置し、前記接着部および前記防水シートとの接着および／または接着に替え、前記補助防水シートを接着してなることを特徴とするものである。
【００１５】
この可撓止水継手によれば、前記接着部および前記防水シートの内側に補助防水シートを配置し、前記接着部および前記防水シートとの接着および／または接着に替え、前記補助防水シートを接着するようにしており、防水シートとともに、あるいは単独で内側に接着した補助防水シートで内側に回り込む水などを一層完全に止水できるようになる。
【００１６】
さらに、この発明の請求項５記載の可撓止水継手は、請求項１〜４のいずれかに記載の構成に加え、前記可撓止水部材の外側と前記防水シートとの間に、前記可撓止水部材の形状を保持する形状保持部材を設けてなることを特徴とするものである。
【００１７】
この可撓止水継手によれば、前記可撓止水部材の外側と前記防水シートとの間に、前記可撓止水部材の形状を保持する形状保持部材を設けてあり、形状を保持して接着やコンクリート構造体への取り付けが容易となる。
【００１８】
また、この発明の請求項６記載の可撓止水継手は、前記請求項１〜５のいずれかに記載の構成に加え、前記可撓止水部材の内側に目地材を配置し、この目地材に打設されるコンクリートの流出を防止するシール用シート部材を設けたことを特徴とするものである。
【００１９】
この可撓止水継手によれば、前記可撓止水部材の内側に目地材を配置し、この目地材に打設されるコンクリートの流出を防止するシール用シート部材を設けるようにしており、一層確実に打設されるコンクリートの流出を防止できるようになる。
【００２０】
さらに、この発明の請求項７記載の可撓止水継手の施工方法は、先行および後行のコンクリートを打ち継いで構築されるコンクリート構造体の継手部に内外の止水および当該継手部の相対変位を可能とする可撓止水部材を設けるとともに、継手部の外側を防水シートで覆う可撓止水継手を施工するに際し、前記継手部を挟むコンクリート構造体の打設用の型枠の内側に前記継手部に対応して変形時の破断防止部が設けられた防水シートを取り付け、仮設用治具で形状が保持された前記可撓止水部材の先行打設固定部および後行打設固定部と前記防水シートとを接着固定した後、先行のコンクリートを打設して前記先行打設固定部を埋設固定し、次いで、前記仮設用治具を取り除いて後行のコンクリートを打設して後行打設固定部を埋設固定するようにしたことを特徴とするものである。
【００２１】
この可撓止水継手の施工方法によれば、先行および後行のコンクリート打設用の型枠に防水シートを取り付け、仮設用治具で保持した可撓止水部材の先行および後行打設固定部を接着するようにすることで、簡単に防水シートと可撓止水部材の先行および後行打設固定部とを接着でき、簡単に施工できるようになる。
【００２２】
また、この発明の請求項８記載の可撓止水継手の施工方法は、請求項７記載の構成に加え、前記先行のコンクリートの打設前に、先行のコンクリート側の前記防水シートと前記先行打設固定部とを接着固定した後、先行のコンクリートを打設するようにし、前記後行のコンクリートの打設前に、後行のコンクリート側の前記防水シートを取り付けるとともに、前記後行打設固定部と接着固定するようにしたことを特徴とするものである。
【００２３】
この可撓止水継手の施工方法によれば、前記先行のコンクリートの打設前に、先行のコンクリート側の前記防水シートと前記先行打設固定部とを接着固定した後、先行のコンクリートを打設するようにし、前記後行のコンクリートの打設前に、後行のコンクリート側の前記防水シートを取り付けるとともに、前記後行打設固定部と接着固定するようにしており、後行打設固定部と防水シートの接着固定を後行のコンクリート打設前に行うようにしても施工することができ、施工が容易にできるようになる。
【００２４】
さらに、この発明の請求項９記載の可撓止水継手の施工方法は、請求項７または８記載の構成に加え、前記可撓止水部材に前記防水シートへの接着部を形成しておき、当該可撓止水部材および接着部を支持金具で押えて孔加工を必要とせずに前記防水シートと接着するようにしたことを特徴とするものである。
【００２５】
この可撓止水継手の施工方法よれば、前記可撓止水部材に前記防水シートへの接着部を形成しておき、当該可撓止水部材および接着部を支持金具で押えて孔加工を必要とせずに前記防水シートと接着するようにしており、可撓止水部材および接着部を支持金具で支持することで防水シートも支持でき、防水シートに孔加工をすることなく、可撓止水部材の接着部と防水シートとを接着できるようになる。
【００２６】
また、この発明の請求項１０記載の可撓止水継手の施工方法は、請求項７〜９のいずれかに記載の構成に加え、前記可撓止水部材を、前記可撓止水部材の外側と前記防水シートとの間に設けた形状保持部材で形状を保持するようにしたことを特徴とするものである。
【００２７】
この可撓止水継手の施工方法によれば、前記可撓止水部材を、前記可撓止水部材の外側と前記防水シートとの間に設けた形状保持部材で形状を保持するようにしており、可撓止水部材の形状保持が一層容易にでき、可撓止水部材と防水シートとを一層簡単に接着できるようになる。
【００２８】
さらに、この発明の請求項１１記載の可撓止水継手の施工方法は、請求項７〜１０のいずれかに記載の構成に加え、前記可撓止水部材の内側に目地材を配置し、この目地材に打設されるコンクリートの流出を防止するシール用シート部材を設けた後、コンクリートを打設するようにしたことを特徴とするものである。
【００２９】
この可撓止水継手の施工方法によれば、前記可撓止水部材の内側に目地材を配置し、この目地材に打設されるコンクリートの流出を防止するシール用シート部材を設けた後、コンクリートを打設するようにしており、目地材を設け、この目地材にシール用シート部材を設けることで、確実に打設されるコンクリートの流出を防止することができるようになる。
【発明の効果】
【００３０】
この発明の請求項１記載の可撓止水継手によれば、先行および後行のコンクリートを打ち継いで構築されるコンクリート構造体の継手部に内外の止水および当該継手部の相対変位を可能とする可撓止水部材を設けるとともに、この可撓止水部材および隣接する先行・後行コンクリートの継手部の外周を防水シートで覆う可撓止水継手で、前記可撓止水部材は、前記先行および後行のコンクリート構造体に打設により埋設固定される先行打設固定部および後行打設固定部と、これら先行打設固定部および後行打設固定部の間に設けられ止水および相対変位を可能とする伸縮部と、を備えており、前記防水シートは、前記継手部に対応して変形時の破断防止部が設けられており、前記可撓止水継部材の前記先行打設固定部および後行打設固定部と前記防水シートとを接着固定するようにしたので、可撓止水部材の先行および後行打設固定部それぞれと防水シートを接着することで、可撓止水部材の内側への水の侵入を防止することができ、防水シートに、可撓止水部材の内側への水の浸入に関与しない部分に破断防止部として、例えば空間や突合せ部、あるいは切れ易くした切り欠き形状などを設けることで、変形時の防水シートの破断を防止することができる。これにより、継手部分の変形などによっても防水シートが破断することがなく、可撓止水部材の内側に回り込む水などの止水性を向上することができる。
【００３１】
また、この発明の請求項２記載の可撓止水継手によれば、前記先行および後行打設固定部に、前記防水シートと接着する接着部を突き出して形成するようにしたので、防水シートの接着部で簡単に接着することができるとともに、接着部の剛性を弱くしておくことで、不陸や防水シートの貼り合せ部に段差などがあってもそれに追従して接着することもできる。
【００３２】
さらに、この発明の請求項３記載の可撓止水継手によれば、前記先行および後行打設固定部の接着部を、先端部が前記防水シートと平行となるとともに、基端部が直角となるように形成したので、防水シートの接着部基端部と先端部の直角部分にアングル材などの簡単な支持金具を当てて押えることができ、可撓止水部材の形状保持や接着を容易に行うことができる。
【００３３】
また、この発明の請求項４記載の可撓止水継手によれば、前記接着部および前記防水シートの内側に補助防水シートを配置し、前記接着部および前記防水シートとの接着および／または接着に替え、前記補助防水シートを接着するようにしたので、防水シートとともに、あるいは単独で内側に接着した補助防水シートで内側に回り込む水などを一層完全に止水することができる。
【００３４】
さらに、この発明の請求項５記載の可撓止水継手によれば、前記可撓止水部材の外側と前記防水シートとの間に、前記可撓止水部材の形状を保持する形状保持部材を設けたので、可撓止水部材の形状を保持して接着やコンクリート構造体への取り付けを容易にすることができる。
【００３５】
また、この発明の請求項６記載の可撓止水継手によれば、前記可撓止水部材の内側に目地材を配置し、この目地材に打設されるコンクリートの流出を防止するシール用シート部材を設けたので、一層確実に打設されるコンクリートの流出を防止できるようになる。
【００３６】
さらに、この発明の請求項７記載の可撓止水継手の施工方法によれば、先行および後行のコンクリートを打ち継いで構築されるコンクリート構造体の継手部に内外の止水および当該継手部の相対変位を可能とする可撓止水部材を設けるとともに、継手部の外側を防水シートで覆う可撓止水継手を施工するに際し、前記継手部を挟むコンクリート構造体の打設用の型枠の内側に前記継手部に対応して変形時の破断防止部が設けられた防水シートを取り付け、仮設用治具で形状が保持された前記可撓止水部材の先行打設固定部および後行打設固定部と前記防水シートとを接着固定した後、先行のコンクリートを打設して前記先行打設固定部を埋設固定し、次いで、前記仮設用治具を取り除いて後行のコンクリートを打設して後行打設固定部を埋設固定するようにしたので、先行および後行のコンクリート打設用の型枠に防水シートを取り付け、仮設用治具で保持した可撓止水部材の先行および後行打設固定部を接着することで、簡単に防水シートと可撓止水部材の先行および後行打設固定部とを接着でき、簡単に施工することができるとともに、可撓止水部材の内側への水などの浸入を防止して止水性を向上することができる。
【００３７】
また、この発明の請求項８記載の可撓止水継手の施工方法によれば、前記先行のコンクリートの打設前に、先行のコンクリート側の前記防水シートと前記先行打設固定部とを接着固定した後、先行のコンクリートを打設するようにし、前記後行のコンクリートの打設前に、後行のコンクリート側の前記防水シートを取り付けるとともに、前記後行打設固定部と接着固定するようにしたので、後行打設固定部と防水シートの接着固定を後行のコンクリート打設前に行うようにしても施工することができ、施工が容易にできるとともに、可撓止水部材の内側への水などの浸入を防止して止水性を向上することができる。
【００３８】
さらに、この発明の請求項９記載の可撓止水継手の施工方法よれば、前記可撓止水部材に前記防水シートへの接着部を形成しておき、当該可撓止水部材および接着部を支持金具で押えて孔加工を必要とせずに前記防水シートと接着するようにしたので、可撓止水部材および接着部を支持金具で支持することで防水シートも支持でき、防水シートに孔加工をすることなく、可撓止水部材の接着部と防水シートとを接着することができる。
【００３９】
また、この発明の請求項１０記載の可撓止水継手の施工方法によれば、前記可撓止水部材を、前記可撓止水部材の外側と前記防水シートとの間に設けた形状保持部材で形状を保持するようにしたので、可撓止水部材の形状保持が一層容易にでき、可撓止水部材と防水シートとを一層簡単に接着することができる。
【００４０】
さらに、この発明の請求項１１記載の可撓止水継手の施工方法によれば、前記可撓止水部材の内側に目地材を配置し、この目地材に打設されるコンクリートの流出を防止するシール用シート部材を設けた後、コンクリートを打設するようにしたので、目地材に設けたシール用シート部材で、確実に打設されるコンクリートの流出を防止することができる。
【発明を実施するための最良の形態】
【００４１】
以下、この発明の実施の形態について、図面に基づき詳細に説明する。  
図１および図２はこの発明の可撓止水継手の一実施の形態にかかり、図１は可撓止水継手が設けられるコンクリート構造体の概略斜視図、図２は可撓止水継手のコンクリート構造体の側面での部分横断面図である。また、図３および図４はこの発明の可撓止水継手の施工方法の一実施の形態にかかり、図３は前半部分の各工程の横断面図、図４は後半部分の各工程の横断面図である。
【００４２】
この可撓止水継手１０では、可撓止水部材２０を、コンクリートを打ち継いで構築されるコンクリート構造体１１，１２の継手部１３に設けることで、止水するとともに、継手部１３の両側のコンクリート構造体１１，１２の地震や温度変化などによる相対変位を可能とするものであり、コンクリート構造体１１，１２の継手部１３の外側には、防水シート１４が設けられ、止水性を向上する。
【００４３】
コンクリート構造体の一例である共同溝では、例えば図１に示すように、断面形状が矩形で所定長さの函体１１，１２が継手部１３で連結され、継手部１３の外側には、防水シート１４が設けられて構成され、一般には、開削工法によって均しコンクリート１５の上面に現場打ちによって所定長さ毎（函体毎）に継手部１３を介設して打ち継がれて構築され、完成後は所定深さの地中に埋め戻されるものであるが、ここでは、側壁部に図示しない外構造体がある場合を例に説明する。
【００４４】
このようなコンクリート構造体１１、１２の継手部１３に設けられる可撓止水部材２０は、図２に示すように、いわゆる外防水型止水板と称されるものであり、先行打設固定部２１および後行打設固定部２２を備え、これら先行打設固定部２１と後行打設固定部２２との間に伸縮することで止水と相対変位を許容する伸縮部２３とを備え、ゴムや合成樹脂などの可撓性素材によって横断面方向には一体的に形成され、長手方向には、分割されたものを継手部１３の形状に合わせて工場や現場で環状などに成形されて構成される。
【００４５】
なお、先行打設固定部２１と後行打設固定部２２は説明の便宜上定めたもので構造上は同一で対称に配置され、いずれを先行あるいは後行としても良いものである。
【００４６】
この可撓止水部材２０では、先行打設固定部２１および後行打設固定部２２が同一形状とされ、先行および後行のコンクリート構造体１１，１２の継手部１３の外周のＶ字状の傾斜面１１ａ，１２ａに当てられる側面シール部２１ａ，２２ａと、外側面がこれら側面シール部２１ａ，２２ａと略直交するとともに、傾斜面１１ａ，１２ａに略垂直で内側面が互いに略直線状の板状のアンカー部２１ｂ，２２ｂを備え、それぞれの板状のアンカー部２１ｂ，２２ｂの先端部に両外側に膨らんだ膨出部２１ｃ，２２ｃを備えている。
【００４７】
そして、これら先行打設固定部２１と後行打設固定部２２の間に横断面形状が継手部１３の内側から見て略逆Ｕ字状の伸縮部２３が配置され、継手部１３の内側の開口端部に先行打設固定部２１および後行打設固定部２２の内側端部がそれぞれ連結されて一体に形成されている。
【００４８】
また、この可撓止水部材２０では、先行打設固定部２１および後行打設固定部２２の側面シール部２１ａ，２２ａのコンクリート構造体１１，１２側にそれぞれブチルシート２１ｄ，２２ｄが取り付けられ、コンクリートとの間の止水性を確保できるようにしてある。
【００４９】
また、この可撓止水部材２０では、継手部１３の外周に設けられる防水シート１４との接着のための接着部２４が設けられ、先行打設固定部２１および後行打設固定部２２の側面シール部２１ａ、２２ａの先端部から継手部１３の端面と平行な接着基端部２４ａ,２４ａが設けられ、その先端に直角に突き出して防水シート１４と平行な接着先端部２４ｂ，２４ｂが一体に成形してある。このような接着基端部２４ａ,２４ａと接着先端部２４ｂ、２４ｂを直角にしておくことで、アングル材などの直角の支持金具を使用して接着部２４を簡単に支持することができ、施工を容易にすることができる。
【００５０】
そして、接着先端部２４ｂ、２４ｂが伸縮部２３の頂部より継手部１３の外側に位置するようにしてあり、接着先端部２４ｂ、２４ｂと防水シート１４とを接着した状態で伸縮部２３の頂部とに空間が形成されるようにしてある。
【００５１】
なお、接着先端部２４ｂ、２４ｂは、剛性を他の部分に比較して小さくすることで、防水シート１４に不陸や防水シート１４の貼り合せ部に段差などがあってもこれらを吸収して接着できるようにすることが好ましい。
【００５２】
この可撓止水部材２０の伸縮部２３の両側および外側には、接着や部分接着で形状を保持できるように発泡材の支持部材２５が設けてあり、両側の側部支持部材２５ａ、２５ａと外側の外側支持部材２５ｂとで構成してある。これら支持部材２５は、発泡材、例えばスポンジゴムや発泡スチロールなどで作られ、外側支持部材２５ｂは、防水シート１４と伸縮部２３の頂部とで形成される空間に配置され、外表面がコンクリート構造体１１、１２の外面と面一となる形状とされ、その剛性で可撓止水部材２０の形状を保持できるようにしてある。側部支持部材２５ａ、２５ａは、側面シール部２１ａ、２２ａと伸縮部２３とのそれぞれの空間に対応して横断面形状が略三角形に成形されたものが配置してある。
【００５３】
また、可撓止水部材２０と接着される防水シート１４には、継手部１３の変位によって破断しないように、破断防止部１４ａが設けてあり、可撓止水部材２０の伸縮部２３の外側に位置する部分が分断してあり、５０ｍｍ程度の間隔をあけた空間としてある。なお、破断防止部１４ａとしては、空間に限らず、突合せ部や切れ易くした切り欠き形状などで構成しても良い。
【００５４】
この防水シート１４の止水性は、可撓止水部材２０の外側とコンクリート構造物１１,１２の間を止水できれば良く、内側は、可撓止水部材２０自体で止水できるので、防水シート１４を分断して中心部に破断防止部１４ａによる間隔をあけても何ら問題となることはない。
【００５５】
そして、この防水シート１４と可撓止水部材２０の接着部２４の接着先端部２４ｂ，２４ｂとが接着され、水の浸入を阻止できるようにしてある。
【００５６】
なお、接着部２４の接着先端部２４ｂ、２４ｂの端部を斜めに切り落とすことで、防水シート１４との密着性を高め、一層止水性を向上できるようにしてある。
【００５７】
この防水シート１４は、防水シート１４の上から穿孔し、グリッピングアンカー１６を打ち込んで側壁部の外構造体である図示しない底版もしくは側壁に取り付けられ、可撓止水部材２０を支える治具を締付けるのに利用し、可撓止水部材２０の接着部２４と接着した後、治具を取り外し、復旧用の防水シート１７で孔を塞ぐようにする。
【００５８】
また、この可撓止水継手１０では、可撓止水部材２０の伸縮部２３の間とコンクリート構造物１１、１２の端面との間に、目地材２６が取り付けられる。
【００５９】
次に、このように構成した可撓止水継手１０のコンクリート構造体１１,１２の継手部１３への施工方法について、図３および図４により説明する。
【００６０】
この可撓止水継手１０の施工では、まず、コンクリート構造物１１，１２の外側を成形する図示しない先行側および後行側それぞれの底版もしくは側壁を、継手部１３を挟む両側に設置し、その内側に防水シート１４，１４を破断防止部１４ａとなる間隔、例えば５０ｍｍをあけて配置し、防水シート１４，１４の上から穿孔し、可撓止水部材２０の取り付け範囲の両側にグリップアンカー１６を打ち込み、周方向には、所定のピッチ、例えば５００ｍｍピッチで複数打ち込む。この防水シート１４，１４には、可撓止水部材２０の取り付け中心位置と両端の接着部２４が位置する設置範囲、例えば２５０ｍｍの範囲を予め罫書いておく（図３（ａ）参照）。
【００６１】
次に、可撓止水部材２０の設置を３つの治具３１，３２，３３を用いて行う（図３（ｂ）参照）。すなわち、２つの側部支持部材２５ａ、２５ａと外側支持部材２５ｂで形状が保持された可撓止水部材２０の先行打設固定部２１側の接着部２４の接着先端部２４ｂに板状の治具３１を当て、グリップアンカー１６にボルト３１ａを締め付けて固定する。このとき、防水シート１４と可撓止水部材２０の接着先端部２４ｂおよび外側支持部材２５ｂとはそれぞれ接着処理を行う。
【００６２】
また、可撓止水部材２０の後行打設固定部２２側の接着部２４の接着基端部２４ａと接着先端部２４ｂにアングル材の治具３２を当て、グリップアンカー１６にボルト３２ａを締め付けて固定する。このとき、防水シート１４と可撓止水部材２０の後行側でも接着先端部２４ｂおよび外側支持部材２５ｂとはそれぞれ接着処理を行う。
【００６３】
そして、このアングル材の治具３２にＬ字状の治具３３を長孔を介して位置調整可能に連結し、この治具３３で可撓止水部材２０の後行側の内側面を支持する。
【００６４】
なお、この可撓止水部材２０の設置状態では、伸縮部２３の間に目地材２６を取り付けておくとともに、先行打設固定部２１および後行打設固定部２２の側面シール部２１ａ，２２ａのコンクリート構造体１１，１２側にそれぞれブチルシート２１ｄ，２２ｄを取り付けておく。
【００６５】
次に、先行コンクリートの打設準備をし、コンクリートを打設する（図３（ｃ）参照）。  
防水シート１４と可撓止水部材２０との接着処理が完了する時間が経過した後、先行側の治具３１をボルト３１ａごと取り外し、防水シート１４の孔に復旧用の防水シート１７を貼り付けてシール状態とする。そして、先行側のコンクリート構造体１１の継手部１３の端面を成形する妻型枠３４などの型枠を設置した後、先行コンクリートを打設する。
【００６６】
なお、この先行コンクリートの打設前に、目地材２６および妻型枠３４にコンクリートの流出を防止するシール用シート材としてゴムシートを貼り付けるようにしても良く、妻型枠３４の空隙からのコンクリートの流出を確実に防止できる。
【００６７】
こうして先行コンクリートを打設し養生後、後行側の２つの治具３２，３３を取り外すとともに、妻型枠３４および他の底版もしくは側壁を取り外し、防水シート１４の孔に復旧用の防水シート１７を貼り付けてシール状態とする（図４（ａ）参照）。
【００６８】
さらに、継手部１３の端面の妻型枠３４に代えてゴムやスポンジなどの発泡目地材２６を配置し、コンクリート構造体１２の継手部１３の端面に接着して取り付けて可撓止水部材２０の圧縮変形時の変形抵抗の減少および損傷防止を図るようにする（図４（ｂ）参照）。
【００６９】
こののち、後行のコンクリート構造体１２の構築に必要な底版もしくは側壁などを組み立てた後、後行のコンクリートを打設し、養生後、後行側の底版もしくは側壁を取り外して可撓止水継手１０が完成する（図４（ｃ）参照）。
【００７０】
このような可撓止水継手１０およびその施工方法によれば、可撓止水部材２０の接着部２４の接着先端部２４ｂ，２４ｂと防水シート１４とを接着するようにしたので、可撓止水部材２０の裏側とコンクリート構造物１１，１２との間の止水性を向上することができ、コンクリート構造物１１，１２が変位して可撓止水部材２０が変形する場合でも、防水シート１４，１４に破断防止部１４ａを設けてあるので、防水シート１４，１４の破断を防止して、止水状態を保持することができる。
【００７１】
また、この可撓止水継手１０およびその施工方法によれば、防水シート１４，１４と接着する接着部２４，２４を突き出して形成したので、防水シート１４，１４とこの接着部２４，２４で簡単に接着することができるとともに、接着部２４の剛性を弱くしておくことで、防水シート１４，１４に不陸や防水シート１４の貼り合せ部に段差などがあってもそれに追従して接着することもできる。
【００７２】
さらに、接着部２４の接着先端部２４ｂと接着基端部２４ａとが直角となるようにしたので、防水シートの接着の際、直角部分にアングル材などの簡単な金具３２を当てて押えることができ、可撓止水部材２０の形状保持や接着を容易に行うことができる。
【００７３】
さらに、この可撓止水継手１０およびその施工方法によれば、可撓止水部材２０の外側と防水シート１４，１４との間に、可撓止水部材２０の形状を保持する側部支持部材２５ａと外側支持部材２５ｂを形状保持部材として設けたので、可撓止水部材２０の形状を保持して接着やコンクリート構造体１１，１２への取り付けを容易にすることができる。
【００７４】
次に、この発明の可撓止水継手およびその施工方法を外防水型止水板に適用した他の一実施の形態について、図５および図６により説明するが、すでに説明した施工方法と同一部分には、同一記号を記し、説明は省略する。
【００７５】
この可撓止水継手の施工方法でも、すでに説明した可撓止水部材２０を用い、施工に当たって、防水シート１４，１４に孔加工を行わず、その復旧の必要をなくして施工するようにしている。
【００７６】
この可撓止水継手１０の施工では、まず、コンクリート構造物１１，１２の外側を成形する図示しない先行側および後行側それぞれの底版もしくは側壁を、継手部１３を挟む両側に設置し、先行側の底版もしくは側壁の内側にのみ防水シート１４を継手部１３の中心まで配置する。そして、後行側の底版もしくは側壁には、可撓止水部材２０の取り付け範囲の外側にグリップアンカー１６を打ち込み、周方向には、所定のピッチ、例えば５００ｍｍピッチで複数打ち込む。
【００７７】
なお、この防水シート１４と後行の底版もしくは側壁には、可撓止水部材２０の取り付け中心位置と両端の接着部２４が位置する設置範囲、例えば２５０ｍｍの範囲を予め罫書いておく（図５（ａ）参照）。
【００７８】
次に、可撓止水部材２０の設置を２つの治具４１，４２を用いて行う（図５（ｂ）参照）。すなわち、２つの側部支持部材２５ａ、２５ａと外側支持部材２５ｂで形状が保持された可撓止水部材２０の後行打設固定部２２側の接着部２４の接着先端部２４ｂと接着基端部２４ａにアングル材の治具４１を当て、グリップアンカー１６にボルト４１ａで締め付けて固定する。そして、このアングル材の治具４１にＬ字状の治具４２を、長孔を介して位置調整可能に連結し、この治具４２で可撓止水部材２０の先行側および後行側の内側面を支持する。
【００７９】
このとき、先行側の防水シート１４と可撓止水部材２０の接着先端部２４ｂおよび外側支持部材２５ｂとはそれぞれ接着処理を行う。また、後行側の接着先端部２４ｂと底版もしくは側壁との間には、防水シートの厚さに相当するゴム板などのスペーサ４３を入れておく。
【００８０】
なお、この可撓止水部材２０の設置状態では、伸縮部２３の間に目地材２６を取り付けておくとともに、先行打設固定部２１および後行打設固定部２２の側面シール部２１ａ，２２ａのコンクリート構造体１１，１２側にそれぞれブチルシート２１ｄ，２２ｄを取り付けておく。
【００８１】
次に、先行コンクリートの打設準備をし、コンクリートを打設する（図５（ｃ）参照）。  
先行側の防水シート１４と可撓止水部材２０との接着処理が完了する時間が経過した後、先行側の内側面を支持していた治具４２を後行側の内側面だけの片側支持状態とし、先行側のコンクリート構造体１１の継手部１３の端面を成形する妻型枠３４などの型枠を設置した後、先行コンクリートを打設する。
【００８２】
なお、この先行コンクリートの打設前に、目地材２６および妻型枠３４にコンクリートの流出を防止するシール用シート材としてゴムシートを貼り付けるようにしても良く、妻型枠３４の空隙からのコンクリートの流出を確実に防止できる。
【００８３】
こうして先行コンクリートを打設し養生後、後行側の２つの治具４１、４２を取り外すとともに、妻型枠３４を取り外し、後行側の底版もしくは側壁の内側のスペーサ４３を外して防水シート１４を破断防止部１４ａとしての間隔をあけて配置する（図６（ａ）参照）。このとき、可撓止水部材２０の先行打設固定部２１が先行のコンクリート構造物１１で支持された状態であるので、後行打設固定部２２側の接着部２４を継手部１３の内側に押しやりながら防水シート１４を設置し、後行側の防水シート１４と可撓止水部材２０の後行打設固定部２２側の接着先端部２４ｂおよび外側支持部材２５ｂとはそれぞれ接着処理を行う。
【００８４】
この後、継手部１３の端面の妻型枠３４に代えてゴムやスポンジなどの発泡目地材２６を配置し、コンクリート構造体１２の継手部１３の端面に接着して取り付け、可撓止水部材２０の圧縮変形時の変形抵抗の減少および損傷防止を図るようにする（図６（ｂ）参照）。  
最後に、後行のコンクリートを打設し、可撓止水継手１０が完成する（図６（ｃ）参照）。
【００８５】
このような可撓止水継手１０の施工方法によれば、防水シート１４，１４に孔加工を施すことなく、可撓止水部材２０を設置して可撓止水継手１０を施工することができ、防水シートの復旧が必要なく施工が容易となるとともに、孔を形成することがないので、止水性を維持することができるほか、すでに説明した可撓止水継手１０およびその施工方法と同一の作用効果を奏する。
【００８６】
この可撓止水継手の施工方法で、防水シート１４による止水性をより向上するため、図７に示すように、防水シート１４，１４と可撓止水部材２０の接着部２４の内側に補助防水シート４５，４５を張り合わせるようにする。
【００８７】
このような可撓止水継手およびその施工方法によれば、可撓止水部材２０の接続部２４の接着先端部２４ｂおよび防水シート１４の内側に、補助防水シート４５を接着するようにしたので、内側に接着した補助防水シート４５で可撓止水部材２０の内側に回り込む浸水などを一層完全に止水することができる。
【００８８】
なお、補助防水シート４５、４５を用いる場合には、後行側防止シート１４と可撓止水部材２０の接着先端部２４ｂの外側を接着する工程を省略し、内側を補助防水シート４５と接着することで工事を簡素化することもできる。
【００８９】
次に、この発明の可撓止水継手およびその施工方法の他の一実施の形態について、図８（ａ），（ｂ）により説明するが、すでに説明した上記の実施の形態と同一部分には、同一記号を記し説明は省略する。
【００９０】
この可撓止水継手およびその施工方法では、すでに説明した可撓止水部材２０とは形状が異なる可撓止水部材５０を用いるもので、（ｂ）では、接着先端部が設けてある。
【００９１】
コンクリート構造体１１、１２の継手部１３に設けられるこの可撓止水部材５０は、いわゆる外防水型止水板と称されるものであり、先行打設固定部５１および後行打設固定部５２を備え、これら先行打設固定部５１と後行打設固定部５２との間に伸縮することで止水と相対変位を許容する伸縮部５３とを備え、ゴムや合成樹脂などの可撓性素材によって横断面方向には一体的に形成され、長手方向には、分割されたものを継手部１３の形状に合わせて工場や現場で環状などに成形されて構成される。
【００９２】
なお、先行打設固定部５１と後行打設固定部５２は説明の便宜上定めたもので構造上は同一で対称に配置され、いずれを先行あるいは後行としても良いものである。
【００９３】
この可撓止水継手５０の先行打設固定部５１および後行打設固定部５２は、それぞれ先に打設される先行コンクリート構造体１１および後に打設する後行コンクリート構造体１２の外側面に当てられる継手部１３を挟んで直線状に配置される板状の側面シール部５１ａ，５２ａを備え、それぞれの側面シール部５１ａ、５２ａからコンリート構造体１１、１２内の中心に向かうように突き出してアンカー部５１ｂ、５２ｂが２条ずつ形成してあり、先端部に膨らんだ膨出部５１ｃ、５２ｃが形成して構成してある。そして、継手部１３の端面に近いアンカー部および膨出部が端面より遠い内側のものより大きくしてあり、コンクリートの打設によって埋設固定する際に、強固に埋設固定できるようにしてある。
【００９４】
また、それぞれの側面シール部５１ａ、５２ａの内側面には、ブチルシート５１ｄ、５２ｄが設けてあり、その粘着力で接着され、コンクリート構造体１１、１２と先行打設固定部５１および後行打設固定部５２との間の止水性を確保できるようにしてある。
【００９５】
さらに、図８（ｂ）に示す可撓止水部材５０では、防水シートとの接着性を向上するため、薄くして剛性を低くした接着先端部５１ｅ、５２ｅがそれぞれ形成してある。
【００９６】
このような先行打設固定部５１と後行打設固定部５２の間に設けられる可撓性止水継手５０の伸縮部５３は、継手部１３の内側から見て中空の略逆台形状の横断面形状とされ、外側となる逆台形底部分(図の紙面上部)が先行打設固定部５１および後行打設固定部５２の側面シール部５１ａ、５２ａの外側面と略面一となるように配置されて連続するようになっており、伸縮部５３の逆台形天部分(図の紙面下部)が継手部１３の内側に突き出すように形成してある。そして、伸縮部５３の中空部の肉厚が外側となる逆台形底部分(図の紙面上部)だけを他の部分に比べて薄くしてあり、変位の吸収を大きくできるようにしてある。
【００９７】
このような可撓止水部材５０を用いる可撓止水継手１０では、継手部１３を挟んで防水シート１４，１４が破断防止部１４ａを介して配置され、これら防水シート１４，１４と可撓止水部材５０の先行打設固定部５１および後行打設固定部５２の外側面が接着処理されて接着してある。また、コンクリート構造体１１，１２の端面間には、目地材２６が介装される。
【００９８】
なお、図８（ｂ）に示す可撓止水部材５０では、接着先端部５１ｅ、５２ｅを介して防水シート１４と接着することで、不陸や防水シートの貼り合せ部に段差などがあってもこれらに追従して接着することができ、一層確実に接着することができる。
【００９９】
これにより、継手部１３で可撓止水部材５０の内側に入り込む水などの浸入を防止でき、止水性を向上することができ、可撓止水部材５０が変形しても防水シート１４，１４に破断防止部１４ａが設けてあるので、防水シート１４，１４が破断せず、止水性を維持することができる。
【０１００】
なお、この防水シート１４、１４の破断防止部１４ａも空間、突合せ部、切れ易い切り欠き形状などのいずれでも良い。
【０１０１】
このような可撓止水部材５０を用いる可撓止水継手の施工方法は、可撓止水部材５０の形状が異なることから使用する治具の形状を変える必要はあるが、すでに説明した可撓止水部材２０を用いる場合と同一の工程で施工することができるので、ここでは、説明を省略する。
【０１０２】
なお、施工の際に、防水シート１４，１４に孔加工を施して施工する場合でも、孔加工を施すことなく施工する場合のいずれであっても良く、防水シート１４，１４と可撓止水部材５０とは、接着処理を行う。
【０１０３】
また、補助防水シートを用い、防水性を向上するようにしても良く、目地材２６にシール用シート部材を貼りつけることで、打設されるコンクリートの流出を防止するようにしても良い。
【０１０４】
このような可撓止水部材５０を用いる可撓止水継手の施工方法によれば、すでに説明した可撓止水部材２０を用いる可撓止水継手の施工方法と同様の作用効果を奏する。
【図面の簡単な説明】
【０１０５】
【図１】この発明の可撓止水継手の一実施の形態にかかる可撓止水継手が設けられるコンクリート構造体の概略斜視図である。
【図２】この発明の可撓止水継手の一実施の形態にかかる可撓止水継手のコンクリート構造体の側面での部分横断面図である。
【図３】この発明の可撓止水継手の施工方法の一実施の形態にかかる前半部分の各工程の横断面図である。
【図４】この発明の可撓止水継手の施工方法の一実施の形態にかかる後半部分の各工程の横断面図である。
【図５】この発明の可撓止水継手の施工方法の他の一実施の形態にかかる前半部分の各工程の横断面図である。
【図６】この発明の可撓止水継手の施工方法の他の一実施の形態にかかる後半部分の各工程の横断面図である。
【図７】この発明の可撓止水継手の他の一実施の形態にかかる可撓止水継手のコンクリート構造体の側面での部分横断面図である。
【図８】この発明の可撓止水継手のさらに他の一実施の形態にかかるそれぞれ可撓止水継手のコンクリート構造体の側面での部分横断面図である。
【図９】従来の止水板の横断面図である。
【図１０】従来の可撓止水継手が設けられるコンクリート構造体の概略斜視図である。
【符号の説明】
【０１０６】
１０        可撓止水継手
１１        コンクリート構造体
１１ａ      傾斜面
１２        コンクリート構造体
１２ａ      傾斜面
１３        継手部
１４        防水シート
１４ａ      破断防止部
１５        均しコンクリート
１６        グリッピングアンカー
１７        復旧用の防水シート
２０        可撓止水部材
２１        先行打設固定部
２１ａ      側面シール部
２１ｂ      アンカー部
２１ｃ      膨出部
２１ｄ      ブチルシート
２２        後行打設固定部
２２ａ      側面シール部
２２ｂ      アンカー部
２２ｃ      膨出部
２２ｄ      ブチルシート
２３        伸縮部
２４        接着部
２４ａ      接着基端部
２４ｂ      接着先端部
２５        支持部材
２５ａ      側部支持部材
２５ｂ      外側支持部材
２６        目地材
３１        治具
３１ａ      ボルト
３２        治具
３２ａ      ボルト
３３        治具
３４        妻型枠
４１        治具
４１ａ      ボルト
４２        治具
４３        スペーサ
５０        可撓止水部材
５１        先行打設固定部
５２        後行打設固定部
５１ｅ      接着先端部
５２ｅ      接着先端部
５３        伸縮部
【図１】
2008038426.tif 000003
【図２】
2008038426.tif 000004
【図３】
2008038426.tif 000005
【図４】
2008038426.tif 000006
【図５】
2008038426.tif 000007
【図６】
2008038426.tif 000008
【図７】
2008038426.tif 000009
【図８】
2008038426.tif 000010
【図９】
2008038426.tif 000011
【図１０】
2008038426.tif 000012